(57)【要約】【課題】鏡面に写真や絵、文字などの画像を表示することができ、画像の耐久性が高い画像付き鏡を提供する。【解決手段】鏡本体１１が、裏面処理を施していない透明部２５を有している。画像２６が印刷された印刷フィルム１２が、透明部２５を通して画像２６を視認可能に、鏡本体１１の裏側に貼り付けられている。画像２６は、亡くなったペットや家族の写真などから成る。保護フィルム１３が、印刷フィルム１２を覆うよう、鏡本体１１の裏側に貼り付けられている。画像２６に亡くなったペットや家族の写真を用いることにより、高い癒しの効果が得られる。【選択図】図２
0003182102.tif 000002
【実用新案登録請求の範囲】
【請求項１】
裏面処理を施していない透明部を有する鏡本体と、
画像が印刷されており、前記透明部を通して前記画像を視認可能に前記鏡本体の裏側に貼り付けられた印刷フィルムと、
前記印刷フィルムを覆うよう前記鏡本体の裏側に貼り付けられた保護フィルムとを、
有することを特徴とする画像付き鏡。
【請求項２】
裏面処理を施していない透明部を有し、前記透明部に裏側から画像が印刷されていることを特徴とする画像付き鏡。
【考案の詳細な説明】
【技術分野】
【０００１】
本考案は、画像付き鏡に関する。
【背景技術】
【０００２】
一般的な鏡は、ガラス板の裏面に、銀鏡面膜、銅保護膜、裏止め塗膜を順次形成して成っている（例えば、特許文献１参照）。従来、このような裏面処理が施された一般的な鏡に、写真や絵、文字などを表示したいときには、鏡面にそれらを貼り付けたり書き込んだりしていた。
【先行技術文献】
【特許文献】
【０００３】
【特許文献１】特開平７−２３４３０６号
【考案の概要】
【考案が解決しようとする課題】
【０００４】
従来の一般的な鏡では、鏡面に写真や絵、文字などの画像を貼り付けたり書き込んだりしていたため、それらの画像がすぐに落ちたり剥がれたりしてしまうという課題があった。
【０００５】
本考案は、このような課題に着目してなされたもので、鏡面に写真や絵、文字などの画像を表示することができ、画像の耐久性が高い画像付き鏡を提供することを目的とする。
【課題を解決するための手段】
【０００６】
上記目的を達成するために、本考案に係る画像付き鏡は、裏面処理を施していない透明部を有する鏡本体と、画像が印刷されており、前記透明部を通して前記画像を視認可能に前記鏡本体の裏側に貼り付けられた印刷フィルムと、前記印刷フィルムを覆うよう前記鏡本体の裏側に貼り付けられた保護フィルムとを、有することを特徴とする。
【０００７】
本考案に係る画像付き鏡は、鏡本体の表側から、透明部を通して画像を見ることができる。本考案に係る画像付き鏡は、画像が印刷された印刷フィルムが、透明部を通して画像を視認可能に、鏡本体の裏側に貼り付けられているため、鏡本体の表側から触ったり擦ったりしても、画像が落ちたり剥がれたりすることはない。また、保護フィルムが印刷フィルムを覆うよう鏡本体の裏側に貼り付けられているため、印刷フィルムが剥がれたり傷ついたりするのを防ぎ、画像の耐久性が高められている。透明部は、ガラス板の裏側にマスキングをし、その上から裏面処理を施すことにより形成しても、既存の鏡に部分透明加工を施して形成してもよい。透明部は、円形、三角形、四角形、楕円形、ハート形、扇形、リンゴ図形などいかなる形状であってもよい。
【０００８】
本考案に係る画像付き鏡は、印刷フィルムおよび保護フィルムが鏡本体の裏側に貼り付けられているため、保温効果が高く、結露しにくい。印刷フィルムおよび保護フィルムを貼り替えれば、画像を変えることもできる。本明細書において、「画像」とは、印刷により表されたものを意味し、例示すれば、写真や絵、文字などが挙げられる。画像には、特に、亡くなったペットや家族の写真などが好適に用いられる。画像は、印刷フィルムの鏡本体側および保護フィルム側のどちらの面に印刷されていてもよい。印刷フィルムは、印刷された画像が変質せず、容易に剥がれ落ちない、耐久性の高いものから成ることが好ましい。印刷フィルムへの画像の印刷は、例えばインクジェットプリンタを利用して行うことができる。
【０００９】
本考案に係る画像付き鏡は、鏡本体の裏側と印刷フィルムとの間または印刷フィルムと保護フィルムとの間に、装飾のための物体や、透明部に光を当てるための有機ＥＬなどを挟んでいてもよい。装飾のための物体を挟んだ場合、画像に立体感を出したり、任意の装飾を施したりすることができる。また、有機ＥＬを挟んだ場合、画像に光を当てることができ、光による効果や、当てる光の色を変えて色の変化などを楽しむことができる。また、利用者に向かって光を当てることもできる。
【００１０】
また、本考案に係る画像付き鏡は、裏面処理を施していない透明部を有し、前記透明部に裏側から画像が印刷されていてもよい。この場合にも、透明部の裏側に画像が印刷されているため、鏡本体の表側から触ったり擦ったりしても、画像が落ちたり剥がれたりすることはなく、画像の耐久性が高められている。
【００１１】
本考案に係る画像付き鏡は、額に入れられて装飾鏡として用いられることが好ましい。本考案に係る画像付き鏡は、額に入れることにより、装飾性が高められ、高級感のあふれたものにすることができる。
【考案の効果】
【００１２】
本考案によれば、鏡面に写真や絵、文字などの画像を表示することができ、画像の耐久性が高い画像付き鏡を提供することができる。
【図面の簡単な説明】
【００１３】
【図１】本考案の実施の形態の画像付き鏡を用いた装飾鏡を示す（ａ）正面図、（ｂ）縦断面図である。
【図２】本考案の実施の形態の画像付き鏡の部分拡大縦断面図である。
【考案を実施するための形態】
【００１４】
以下、図面に基づき本考案の実施の形態について説明する。
図１は本考案の実施の形態の画像付き鏡を用いた装飾鏡を示し、図２はその画像付き鏡の部分拡大縦断面図を示している。
図１に示すように、本考案の実施の形態の装飾鏡１は、画像付き鏡２と額３とを有し、画像付き鏡２を額３に入れて成っている。
【００１５】
図２に示すように、画像付き鏡２は、鏡本体１１と印刷フィルム１２と保護フィルム１３とを有している。鏡本体１１は、ガラス板２１に裏面処理を施して形成されている。鏡本体１１は、裏面処理として、ガラス板２１の裏側に、銀鏡面膜２２、銅保護膜２３、裏止め塗膜２４を順次形成して成っている。鏡本体１１は、裏面処理を施していない透明部２５を有している。透明部２５は、ガラス板２１の裏側にマスキングをし、その上から裏面処理を施すことにより形成することができる。また、鏡本体１１は、既存の鏡に部分透明加工を施して、透明部２５を形成したものでもよい。図２に示す具体的な一例では、透明部２５は円形を成しているが、円形に限らず、三角形や四角形、楕円形、ハート形、扇形、リンゴ図形などいかなる形状であってもよい。
【００１６】
印刷フィルム１２は、一方の表面に画像２６が印刷されており、透明部２５を通して画像２６を視認可能に、鏡本体１１の裏側に貼り付けられている。印刷フィルム１２は、画像２６が印刷された面を鏡本体１１の側に向けて、透明接着剤により透明部２５の位置に貼り付けられている。印刷フィルム１２はインクジェットプリンタを利用して画像２６が印刷されており、インクは容易に剥がれ落ちない耐久性の高い材質から成っている。画像２６には、亡くなったイヌ・ネコなどのペットや家族のベストショットの写真が用いられる。なお、画像２６は、写真であることが好ましいが、絵や文字など、印刷可能なものであればいかなるものであってもよい。
保護フィルム１３は、印刷フィルム１２を覆うよう、鏡本体１１の裏側に接着剤で貼り付けられている。
【００１７】
額３は、装飾が施された額縁３１と裏板３２と裏板固定具３３と固定金具３４とを有している。額３は、画像付き鏡２を収納して飾るよう構成されている。額３は、額縁３１の裏側から画像付き鏡２を入れて、画像付き鏡２を裏側から裏板３２で押さえ、裏板３２を裏板固定具３３で固定することにより、画像付き鏡２を収納するようになっている。額３は、固定金具３４により壁等に固定可能になっている。
【００１８】
次に、作用について説明する。
装飾鏡１は、鏡本体１１の表側から、透明部２５を通して画像２６を見ることができる。画像２６に亡くなったペットや家族の写真を用いることにより、鏡を見るたびにペットや家族を偲び、そのペットや家族が身近で常に見守ってくれているような温かい気持ちになって、高い癒しの効果が得られる。特に、装飾鏡１を、身支度を整える際に必ず見る鏡に使用すれば、毎朝、画像２６のペットや家族の写真を見てから一日を迎えることとなり、その日を穏やかに過ごすのに効果的である。
【００１９】
装飾鏡１は、画像２６が印刷された印刷フィルム１２が、透明部２５を通して画像２６を視認可能に、鏡本体１１の裏側に貼り付けられているため、鏡本体１１の表側から触ったり擦ったりしても、画像２６が落ちたり剥がれたりすることはない。また、保護フィルム１３が印刷フィルム１２を覆うよう鏡本体１１の裏側に貼り付けられているため、印刷フィルム１２が剥がれたり傷ついたりするのを防ぎ、画像２６の耐久性が高められている。さらに、額３の裏板３２により、鏡本体１１自体が保護されている。
【００２０】
装飾鏡１は、印刷フィルム１２および保護フィルム１３が鏡本体１１の裏側に貼り付けられているため、保温効果が高く、鏡本体１１が結露しにくい。画像付き鏡２は額３に入れられているため、装飾性が高く、高級感のあふれたものとなっている。
【００２１】
なお、装飾鏡１は、画像付き鏡２が印刷フィルム１２および保護フィルム１３を有さず、透明部２５に裏側から画像２６が印刷されていてもよい。この場合にも、透明部２５の裏側に画像２６が印刷されているため、鏡本体１１の表側から触ったり擦ったりしても、画像２６が落ちたり剥がれたりすることはなく、画像２６の耐久性が高められている。
【符号の説明】
【００２２】
１  装飾鏡
２  画像付き鏡
１１  鏡本体
２１  ガラス板
２２  銀鏡面膜
２３  銅保護膜
２４  裏止め塗料
２５  透明部
１２  印刷フィルム
２６  画像
１３  保護フィルム
３  額
３１  額縁
３２  裏板
３３  裏板固定具
３４  固定金具
【図１】
0003182102.tif 000003
【図２】
0003182102.tif 000004